(57)【要約】      （修正有）【課題】カバーの装着により音響特性を向上させることができるカバー装着可能な携帯電子機器を得ることを目的としている。【解決手段】携帯電子機器は、携帯電話本体１３と、携帯電話本体１３の一の面に配設された複数のスピーカ１ａ，１ｂと、複数のスピーカ１ａ，１ｂを覆って一の面に装着可能なカバー３とを備え、カバー３、および／または、一の面にリブ４が設けられ、カバー３を一の面に装着した場合に、一の面とカバー３との間に、リブ４の配列に応じて、複数のスピーカ１ａ，１ｂの各々ごとに独立した複数の音道５ａ，５ｂが形成される。【選択図】図３
2007324647.tif 000002
【特許請求の範囲】
【請求項１】
機器本体の筐体と、
前記筐体の一の面に配設された複数のスピーカと、
前記複数のスピーカを覆って前記一の面に装着可能なカバーとを備え、
前記カバー、および／または、前記一の面にリブが設けられ、
前記カバーを前記一の面に装着した場合に、前記一の面と前記カバーとの間に、前記リブの配列に応じて、前記複数のスピーカの各々ごとに独立した複数の音道が形成される、
携帯電子機器。
【請求項２】
前記リブは固定リブと可動リブとを含み、
前記可動リブの移動に応じて前記音道の経路が変化する、
請求項１に記載の携帯電子機器。
【請求項３】
前記カバーは、前記一の面よりも外方に張り出した耳部を前記音道の出口に備える、
請求項１または請求項２に記載の携帯電子機器。
【発明の詳細な説明】
【技術分野】
【０００１】
本発明は、カバー装着が可能な携帯電子機器に関するものである。
【背景技術】
【０００２】
カバーを装着可能な携帯電子機器として携帯電話がある。そのカバーは、色や模様からなるデザインが施されており、１つの携帯電話に対するカバーのデザインは様々存在する。特許文献１に記載された２つ折型携帯電話においても、そのカバーを自由に被せることができるため、使用者はカバーを交換することにより、使用者の好みに合わせて携帯電話のデザインを変更することができる。
【０００３】
【特許文献１】特開２００５−０９４５３３号公報
【発明の開示】
【発明が解決しようとする課題】
【０００４】
従来の携帯電話では、テレビ機能やムービー再生機能に対してステレオ音声を出力する複数のスピーカを備えるものがある。しかしながら、テレビ機能やムービー再生機能の画像の表示方向、使用方向は縦横様々であるにもかかわらず、スピーカの位置は固定されていた。このため、スピーカでステレオ音声を出力しても、使用方向によっては十分な音響特性が得られないという問題点があった。また、スピーカから出力される音の音道となる空間を設けようとすると、携帯電話を厚くしなければならないという問題点があった。
【０００５】
本発明は、上記の問題点を解決するためになされたものであり、携帯電話に装着可能なカバーを用いることにより、音響特性を向上させることができる携帯電話を得ることを目的とする。
【課題を解決するための手段】
【０００６】
本発明に係る携帯電子機器は、機器本体の筐体と、前記筐体の一の面に配設された複数のスピーカと、前記複数のスピーカを覆って前記一の面に装着可能なカバーとを備え、前記カバー、および／または、前記一の面にリブが設けられ、前記カバーを前記一の面に装着した場合に、前記一の面と前記カバーとの間に、前記リブの配列に応じて、前記複数のスピーカの各々ごとに独立した複数の音道が形成される。
【発明の効果】
【０００７】
この発明によれば、カバーの装着により音響特性を向上させることができる。
【発明を実施するための最良の形態】
【０００８】
＜実施の形態１＞
本発明に係る携帯電子機器は、カバーの装着が可能であれば携帯電話、あるいは、ＰＤＡ（Personal Digital Assistants）、あるいは、携帯オーディオなどの小型携帯音響機器などに適用することができるが、本実施の形態では、携帯電話に用いたものとして説明する。
【０００９】
図３は、本実施の形態に係るカバー装着状態の携帯電話の全体図であり、図に示すように、筐体を構成する携帯電話本体１３と、複数のスピーカ１ａ，１ｂと、カバー３とを備える。図１は、カバー装着前の携帯電話本体１３を示す斜視図である。図のように、上部筐体１１と下部筐体１２とから構成されている携帯電話本体１３が、折りたたんだ状態で１の筐体を形成している。ここでは２つ折型携帯電話について説明するが、これに限らず、携帯電話本体１３の形状が筐体となり得るスライド型、ストレート型などの形状であってもよい。スピーカ１ａ，１ｂは、筐体である携帯電話本体１３の一の面２に配設された複数のスピーカである。このスピーカ１ａ，１ｂからは、例えば、ステレオ音声、３Ｄ音声などの音声が出力される。
【００１０】
図２は、複数のスピーカ１ａ，１ｂを覆って、携帯電話本体１３の一の面２に装着可能なカバー３を示した図である。カバー３、および／または、携帯電話本体１３の一の面２にリブ４が設けられる。本実施の形態では、図に示すように、カバー３にのみリブ４が設けられている。
【００１１】
図３は、図２のカバー３を図１の携帯電話本体１３の一の面２に装着したときの図である。図のように、カバー３を一の面２に装着した場合に、一の面２とカバー３との間に、リブ４の配列に応じて、複数のスピーカ１ａ，１ｂの各々ごとに独立した複数の音道５ａ，５ｂが設けられる。図２のようなカバー２を装着した場合、複数のスピーカ１ａ，１ｂから出力される音は、音道５ａ，５ｂに沿って、図３の矢印６ように筐体の短手方向に出力される。同様に、図４のようなカバーを装着した場合、複数のスピーカ１ａ，１ｂから出力される音は、上記音道に沿って、矢印７のように筐体の長手方向に出力される。
【００１２】
このように構成された携帯電話は、カバー３を変更することにより、カバー３に設けたリブ４の配列に応じて、音道５ａ，５ｂおよびその出口を変更することができる。例えば、ＴＶ電話として使用するために、携帯電話本体１３の長手方向を縦方向として使用するときは、図２のカバーを装着することにより、音を短手方向（矢印６の方向）へ出力することができる。一方、ＴＶやムービーを見るために、携帯電話本体１３の短手方向を縦方向として使用するときは、図３のカバーを装着することにより、音を長手方向（矢印７の方向）へ出力することができる。このようにカバー３を変更することにより、携帯電話本体１３の使用方向に関係なく、携帯電話本体１３の左右から音を出力することができるため、ステレオ効果や３Ｄ音響効果を高めることができる。さらに、その左右の間の距離を、それらの効果を最適にするような距離にすれば、さらに音響特性を向上させることができる。
【００１３】
また、本実施の形態のようにリブ４をカバー３のみに設けた場合には、携帯電話本体１３側にリブ４を形成しなくてよいため、携帯電話本体１３を厚くする必要がなくなる。また、音響特性を高めるためには、カバー３の材質も最適にすればよい。
【００１４】
＜実施の形態２＞
図５、図６は、本実施の形態に係る携帯電話において、携帯電話本体１３とカバー３により形成される音道５ａ，５ｂの断面図を、カバー３を正面にして示したものである。以下、下記で説明しない構成については、実施の形態１の携帯電話の構成と同一であるものとする。なお、図５、図６の点線の円１ａ，１ｂは、カバー３においてスピーカ１ａ，１ｂに対応する位置を示している。
【００１５】
図５、図６に示すように、リブは、固定された固定リブ８と、図の矢印のように移動可能な可動リブ９とを含む。この可動リブ９の移動に応じて音道５ａ，５ｂの経路が変化する。本実施の形態では、可動リブ９の移動に応じて、図２のカバーを装着させて形成される音道と同じ音道（図５）、または、図４のカバーを装着させて形成される音道と同じ音道（図６）のいずれかを形成するように、音道５ａ，５ｂの経路が変化する。可動リブ９の制御は、利用者が手動で行うか、または、携帯電話本体１３に設けた図示しない制御用スイッチ、あるいは、センサなどに応じて制御する。この固定リブ８と可動リブ９は、両方もしくはどちらかを携帯電話本体１３の一の面２に設けてもよい。
【００１６】
このように構成された携帯電話は、可動リブ９を移動させることにより、音道およびその出口を変更することができる。このため、実施の形態１と同様に、携帯電話本体１３の使用方向に関係なく、携帯電話本体１３の左右から音を出力することができるため、ステレオ効果や３Ｄ音響効果を高めることができる。さらに、その左右の間の距離を、それらの効果を最適にするような距離にすれば、さらに音響特性を向上させることができる。
【００１７】
＜実施の形態３＞
図７は、本実施の形態に係る携帯電話の正面図を示したものである。図８は、Ａ−Ａ’の断面図、図９はＢ−Ｂ’の断面図である。これらの図に示すように、カバー３は、スピーカ１ａ，１ｂを囲む全気室を形成するようにリブ４が設けられ、一の面２よりも外方に張り出した耳部１０を音道５ａ，５ｂの出口に備える。本実施の形態では、携帯電話本体１３に、表示部１４を設け、その表示部１４を設けた面と同じ方向を向くように耳部１０が形成されている。
【００１８】
このように耳部１０を形成することにより、スピーカ１ａ，１ｂから出力された音を、一方向（利用者の方向）に向けて効率よく伝えることができる。これにより、ステレオ効果や３Ｄ音響効果などの音響特性を高めることができる。
【図面の簡単な説明】
【００１９】
【図１】実施の形態１に係る携帯電話本体の斜視図である。
【図２】実施の形態１に係るカバーの斜視図である。
【図３】実施の形態１に係る携帯電話の斜視図である。
【図４】実施の形態１に係るカバーの斜視図である。
【図５】実施の形態２に係る携帯電話の音道の断面図である。
【図６】実施の形態２に係る携帯電話の音道の断面図である。
【図７】実施の形態３に係る携帯電話の正面図である。
【図８】実施の形態３に係る携帯電話のＡ−Ａ’断面図である。
【図９】実施の形態３に係る携帯電話のＢ−Ｂ’断面図である。
【符号の説明】
【００２０】
１ａ，１ｂ  スピーカ、２  一の面、３  カバー、４  リブ、５ａ，５ｂ  音道、６，７  音の出力方向、８  固定リブ、９  可動リブ、１０  耳部、１１  上部筐体、１２  下部筐体、１３  携帯電話本体、１４  表示部。
【図１】
2007324647.tif 000003
【図２】
2007324647.tif 000004
【図３】
2007324647.tif 000005
【図４】
2007324647.tif 000006
【図５】
2007324647.tif 000007
【図６】
2007324647.tif 000008
【図７】
2007324647.tif 000009
【図８】
2007324647.tif 000010
【図９】
2007324647.tif 000011